(57)【要約】【課題】好適なカラーディスプレイデバイスのための駆動方法を提供すること。【解決手段】本願の発明は、カラーディスプレイデバイスのための駆動方法を対象とする。このカラーディスプレイデバイスは、高い品質のカラー状態を表示することができる。この高い品質のカラー状態を表示することができるカラーディスプレイデバイスは、電気泳動流体を利用する。この電気泳動流体は、３種類の色素粒子を含み、これらの３種類の色素粒子は、異なる光学特性を有する。【選択図】図４
2018049302.tif 000002
【特許請求の範囲】
【請求項１】
視認側の第１の表面と、非視認側の第２の表面と、電気泳動流体とを備える電気泳動ディスプレイのための駆動方法であって、前記電気泳動流体は、共通電極とピクセル電極の層との間で挟持されており、全て溶媒または溶媒混合物中に分散させられる第１、第２、および第３の種類の色素粒子を含み、
（ａ）前記第１の種類の色素粒子の色は、白色であり、前記第２の種類の色素粒子の色は、黒色であり、前記第３の種類の色素粒子は、着色されているが、白色でなく、かつ、黒色でなく、
（ｂ）前記第１の種類の色素粒子および前記第２の種類の色素粒子は、反対電荷極性を担持し、
（ｃ）前記第３の種類の色素粒子は、前記第２の種類の色素粒子と同一の電荷極性を有するが、より低い強度にあり、
前記方法は、
（ｉ）第１の期間にわたって第１の駆動電圧を前記電気泳動ディスプレイ内のピクセルに印加するステップであって、前記第１の駆動電圧は、前記視認側において前記第１の種類の色素粒子の光学特性を表示するように、前記共通電極に向かって前記第１の種類の色素粒子を移動させる極性を有する、ステップと、
（ｉｉ）第２の期間にわたって第２の駆動電圧を前記ピクセルに印加するステップであって、前記第２の駆動電圧は、前記視認側において前記第３の種類の色素粒子の光学特性を表示するように、前記共通電極に向かって前記第３の種類の色素粒子を移動させる極性を有する、ステップと、
前記第３の種類の色素粒子の前記光学特性が前記視認側に完全に表れるまでステップ（ｉ）および（ｉｉ）を含む駆動サイクルを複数回繰り返すステップと
を含む、方法。
【請求項２】
前記第１の種類の色素粒子は、負の電荷を持ち、前記第２の種類の色素粒子は、正の電荷を持つ、請求項１に記載の方法。
【請求項３】
前記第２の駆動電圧の振幅は、前記第１の駆動電圧の振幅の５０％未満である、請求項１に記載の方法。
【請求項４】
ステップ（ｉ）および（ｉｉ）は、少なくとも４回繰り返される、請求項１に記載の方法。
【請求項５】
ステップ（ｉ）の前に振動波形をさらに備える、請求項１に記載の方法。
【請求項６】
前記振動波形の後であるが、ステップ（ｉ）に先立って、前記第１の種類の色素粒子のフル光学特性への駆動ステップをさらに含む、請求項５に記載の方法。
【請求項７】
ステップ（ｉｉ）の後に、
（ｉｉｉ）第３の期間にわたっていかなる駆動電圧も前記ピクセルに印加しないステップと、
ステップ（ｉ）、（ｉｉ）、および（ｉｉｉ）を繰り返すステップと
をさらに含む、請求項１に記載の方法。
【請求項８】
前記第１の種類の色素粒子は、負の電荷を持ち、前記第２の種類の色素粒子は、正の電荷を持つ、請求項７に記載の方法。
【請求項９】
前記第２の駆動電圧の振幅は、前記第１の駆動電圧の振幅の５０％未満である、請求項７に記載の方法。
【請求項１０】
ステップ（ｉ）、（ｉｉ）、および（ｉｉｉ）は、少なくとも４回繰り返される、請求項７に記載の方法。
【請求項１１】
（ｉｉｉ）ステップ（ｉ）の後であるが、ステップ（ｉｉ）の前に、第３の期間にわたっていかなる駆動電圧も前記ピクセルに印加しないステップと、
（ｉｖ）ステップ（ｉｉ）の後に、第４の期間にわたっていかなる駆動電圧も前記ピクセルに印加しないステップと、
ステップ（ｉ）−（ｉｖ）を繰り返すステップと
をさらに含む、請求項１に記載の方法。
【請求項１２】
視認側の第１の表面と、非視認側の第２の表面と、電気泳動流体とを備える電気泳動ディスプレイのための駆動方法であって、前記電気泳動流体は、共通電極とピクセル電極の層との間で挟持されており、全て溶媒または溶媒混合物中に分散させられる第１、第２、および第３の種類の色素粒子を含み、
（ａ）前記第１の種類の色素粒子の色は、白色であり、前記第２の種類の色素粒子の色は、黒色であり、前記第３の種類の色素粒子は、着色されているが、白色でなく、かつ、黒色でなく、
（ｂ）前記第１の種類の色素粒子および前記第２の種類の色素粒子は、反対電荷極性を担持し、
（ｃ）前記第３の種類の色素粒子は、前記第２の種類の色素粒子と同一の電荷極性を有するが、より低い強度にあり、
前記方法は、
（ｉ）第１の期間にわたって第１の駆動電圧を前記電気泳動ディスプレイ内のピクセルに印加するステップであって、前記第１の駆動電圧は、前記視認側において前記第１の種類の色素粒子の光学特性を表示するように、前記共通電極に向かって前記第１の種類の色素粒子を移動させる極性を有する、ステップと、
（ｉｉ）第２の期間にわたって第２の駆動電圧を前記ピクセルに印加するステップであって、前記第２の駆動電圧は、前記視認側において前記第２の種類の色素粒子の光学特性を表示するように、前記共通電極に向かって前記第２の種類の色素粒子を移動させる極性を有する、ステップと、
前記第２の種類の色素粒子の前記光学特性が前記視認側に完全に表れるまでステップ（ｉ）および（ｉｉ）を含む駆動サイクルを複数回繰り返すステップと
を含む、方法。
【請求項１３】
第１の視認表面と、第２の非視認表面と、電気泳動流体とを備える電気泳動ディスプレイのための駆動方法であって、前記電気泳動流体は、共通電極とピクセル電極の層との間で挟持されており、全て溶媒または溶媒混合物中に分散させられる第１、第２、および第３の種類の色素粒子を含み、
（ａ）前記第１の種類の色素粒子の色は、白色であり、前記第２の種類の色素粒子の色は、黒色であり、前記第３の種類の色素粒子は、着色されているが、白色でなく、かつ、黒色でなく、
（ｂ）前記第１の種類の色素粒子および前記第２の種類の色素粒子は、反対電荷極性を担持し、
（ｃ）前記第３の種類の色素粒子は、前記第２の種類の色素粒子と同一の電荷極性を有するが、より低い強度にあり、
前記方法は、
（ｉ）第１の期間にわたって第１の駆動電圧を前記電気泳動ディスプレイ内のピクセルに印加するステップであって、前記第１の駆動電圧は、視認側において前記第２の種類の色素粒子の光学特性を表示するように、前記共通電極に向かって前記第２の種類の色素粒子を移動させる極性を有する、ステップと、
（ｉｉ）第２の期間にわたって第２の駆動電圧を前記ピクセルに印加するステップであって、前記第２の駆動電圧は、前記視認側において前記第１の種類の色素粒子の光学特性を表示するように、前記共通電極に向かって前記第１の種類の色素粒子を移動させる極性を有する、ステップと、
（ｉｉｉ）第３の期間にわたっていかなる駆動電圧も前記ピクセルに印加しないステップと、
前記第１の種類の色素粒子の前記光学特性が前記視認側に完全に表れるまでステップ（ｉ）、（ｉｉ）、および（ｉｉｉ）を含む駆動サイクルを複数回繰り返すステップと
を含む、方法。
【発明の詳細な説明】
【技術分野】
【０００１】
（発明の分野）
本発明は、カラーディスプレイデバイスが高品質カラー状態を表示するための駆動方法を対象とする。
【背景技術】
【０００２】
（発明の背景）
カラーディスプレイを達成するために、多くの場合、カラーフィルタが使用される。最も一般的なアプローチは、赤、緑、および青色を表示するように、ピクセル化ディスプレイの黒／白色サブピクセルの上にカラーフィルタを追加することである。赤色が所望されるとき、表示される唯一の色が赤であるように、緑および青色サブピクセルが黒色状態に変えられる。青色が所望されるとき、表示される唯一の色が青であるように、緑および赤色サブピクセルが黒色状態に変えられる。緑色が所望されるとき、表示される唯一の色が緑であるように、赤および青色サブピクセルが黒色状態に変えられる。黒色状態が所望されるとき、３つ全てのサブピクセルが黒色状態に変えられる。白色状態が所望されるとき、３つのサブピクセルは、それぞれ、赤、緑、および青に変えられ、結果として、白色状態が視認者によって見られる。
【０００３】
そのような技法の最大の不利点は、サブピクセルのそれぞれが、所望の白色状態の約３分の１（１／３）の反射率を有するため、白色状態が極めて薄暗いことである。これを補うために、白色レベルが（ここで各サブピクセルがピクセルの面積のわずか４分の１である）赤、緑、または青色レベルを犠牲にして倍増されるように、黒色および白色状態のみを表示することができる、第４のサブピクセルが追加されてもよい。白色ピクセルから光を追加することによって、より明るい色を達成することができるが、これは、色を非常に薄く不飽和状態にさせる色域を犠牲にして達成される。３つのサブピクセルの色飽和を低減させることによって、類似結果を達成することができる。これらのアプローチを用いても、白色レベルは、通常、白黒ディスプレイのレベルの実質的に半分未満であり、十分読みやすい白黒明度およびコントラストを必要とする電子書籍リーダまたはディスプレイ等のディスプレイデバイスのために許容できない選択にする。
【発明の概要】
【課題を解決するための手段】
【０００４】
（発明の要旨）
本発明の第１の側面は、視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法を対象とし、
（ａ）３種類の色素粒子は、相互と異なる光学特性を有し、
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
本方法は、以下のステップ、すなわち、
（ｉ）第１の期間にわたって第１の駆動電圧を電気泳動ディスプレイ内のピクセルに印加するステップであって、第１の駆動電圧は、視認側における第１の種類の色素粒子のカラー状態に向かってピクセルを駆動するように、第１の種類の色素粒子と同一の極性を有する、ステップと、
（ｉｉ）第２の期間にわたって第２の駆動電圧をピクセルに印加するステップであって、第２の駆動電圧は、視認側における第３の種類の色素粒子のカラー状態に向かってピクセルを駆動するように、第３の種類の色素粒子と同一の極性を有する、ステップと、
ステップ（ｉ）および（ｉｉ）を繰り返すステップと、
を含む。
【０００５】
一実施形態では、第１の種類の色素粒子は、負の電荷を持ち、第２の種類の色素粒子は、正の電荷を持つ。一実施形態では、第２の駆動電圧の振幅は、第１の駆動電圧の振幅の５０％未満である。一実施形態では、ステップ（ｉ）および（ｉｉ）は、少なくとも４回繰り返される。一実施形態では、本方法はさらに、ステップ（ｉ）の前に振動波形を備える。一実施形態では、本方法はさらに、振動波形の後であるが、ステップ（ｉ）に先立って、第１の種類の色素粒子のフルカラー状態にピクセルを駆動するステップを含む。一実施形態では、第１の期間は、４０〜１４０ミリ秒であり、第２の期間は、４６０ミリ秒を上回るまたはそれと等しく、ステップ（ｉ）および（ｉｉ）は、少なくとも７回繰り返される。
【０００６】
本発明の第２の側面は、視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法を対象とし、
（ａ）３種類の色素粒子は、相互と異なる光学特性を有し、
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
本方法は、以下のステップ、すなわち、
（ｉ）第１の期間にわたって第１の駆動電圧を電気泳動ディスプレイ内のピクセルに印加するステップであって、第１の駆動電圧は、視認側における第１の種類の色素粒子のカラー状態に向かってピクセルを駆動するように、第１の種類の色素粒子と同一の極性を有する、ステップと、
（ｉｉ）第２の期間にわたって第２の駆動電圧をピクセルに印加するステップであって、第２の駆動電圧は、視認側における第３の種類の色素粒子のカラー状態に向かってピクセルを駆動するように、第３の種類の色素粒子と同一の極性を有する、ステップと、
（ｉｉｉ）第３の期間にわたっていかなる駆動電圧もピクセルに印加しないステップと、
ステップ（ｉ）、（ｉｉ）、および（ｉｉｉ）を繰り返すステップと、
を含む。
【０００７】
一実施形態では、第１の種類の色素粒子は、負の電荷を持ち、第２の種類の色素粒子は、正の電荷を持つ。一実施形態では、第２の駆動電圧の振幅は、第１の駆動電圧の振幅の５０％未満である。一実施形態では、ステップ（ｉ）、（ｉｉ）、および（ｉｉｉ）は、少なくとも４回繰り返される。一実施形態では、本方法はさらに、ステップ（ｉ）の前に振動波形を備える。一実施形態では、本方法はさらに、振動波形の後であるが、ステップ（ｉ）に先立って、第１の種類の色素粒子のフルカラー状態への駆動ステップを含む。
【０００８】
本発明の第３の側面は、視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法を対象とし、
（ａ）３種類の色素粒子は、相互と異なる光学特性を有し、
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
本方法は、少なくとも０．７Ｖの電圧低感度範囲を有する。
【０００９】
本発明の第４の側面は、視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法を対象とし、
（ａ）３種類の色素粒子は、相互と異なる光学特性を有し、
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
本方法は、以下のステップ、すなわち、
（ｉ）第１の期間にわたって第１の駆動電圧を電気泳動ディスプレイ内のピクセルに印加するステップであって、第１の駆動電圧は、視認側における第１の種類の色素粒子のカラー状態に向かってピクセルを駆動するように、第１の種類の色素粒子と同一の極性を有する、ステップと、
（ｉｉ）第２の期間にわたっていかなる駆動電圧もピクセルに印加しないステップと、
（ｉｉｉ）第３の期間にわたって第２の駆動電圧をピクセルに印加するステップであって、第２の駆動電圧は、視認側における第３の種類の色素粒子のカラー状態に向かってピクセルを駆動するように、第３の種類の色素粒子と同一の極性を有する、ステップと、
（ｉｖ）第４の期間にわたっていかなる駆動電圧もピクセルに印加しないステップと、ステップ（ｉ）−（ｉｖ）を繰り返すステップと、
を含む。
【００１０】
一実施形態では、第１の種類の色素粒子は、負の電荷を持ち、第２の種類の色素粒子は、正の電荷を持つ。一実施形態では、第２の駆動電圧の振幅は、第１の駆動電圧の振幅の５０％未満である。一実施形態では、ステップ（ｉ）−（ｉｖ）は、少なくとも３回繰り返される。一実施形態では、本方法はさらに、ステップ（ｉ）の前に振動波形を備える。一実施形態では、本方法はさらに、振動波形の後であるが、ステップ（ｉ）に先立って、第１の種類の色素粒子のフルカラー状態にピクセルを駆動するステップを含む。
【００１１】
本発明の第５の側面は、視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法を対象とし、
（ａ）３種類の色素粒子は、相互と異なる光学特性を有し、
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
本方法は、以下のステップ、すなわち、
（ｉ）第１の期間にわたって第１の駆動電圧を電気泳動ディスプレイ内のピクセルに印加するステップであって、第１の駆動電圧は、視認側における第１の種類の色素粒子のカラー状態に向かってピクセルを駆動するように、第１の種類の色素粒子と同一の極性を有する、ステップと、
（ｉｉ）第２の期間にわたって第２の駆動電圧をピクセルに印加するステップであって、第２の駆動電圧は、視認側における第２の種類の色素粒子のカラー状態に向かってピクセルを駆動するように、第２の種類の色素粒子と同一の極性を有する、ステップと、
ステップ（ｉ）および（ｉｉ）を繰り返すステップと、
を含む。
【００１２】
一実施形態では、本方法はさらに、いかなる駆動電圧も印加されない、待機時間を備える。一実施形態では、第１の種類の色素粒子は、負の電荷を持ち、第２の種類の色素粒子は、正の電荷を持つ。一実施形態では、第２の期間は、第１の期間の少なくとも２倍長い。一実施形態では、ステップ（ｉ）および（ｉｉ）は、少なくとも３回繰り返される。一実施形態では、本方法はさらに、ステップ（ｉ）の前に振動波形を備える。一実施形態では、本方法はさらに、振動波形の後であるが、ステップ（ｉ）に先立って、第２の種類の色素粒子のフルカラー状態にピクセルを駆動するステップを含む。
【００１３】
本発明の第６の側面は、視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法を対象とし、
（ａ）３種類の色素粒子は、相互と異なる光学特性を有し、
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
本方法は、以下のステップ、すなわち、
（ｉ）第１の期間にわたって第１の駆動電圧を電気泳動ディスプレイ内のピクセルに印加するステップであって、第１の駆動電圧は、視認側における第２の種類の色素粒子のカラー状態に向かってピクセルを駆動するように、第２の種類の色素粒子と同一の極性を有する、ステップと、
（ｉｉ）第２の期間にわたって第２の駆動電圧をピクセルに印加するステップであって、第２の駆動電圧は、視認側における第１の種類の色素粒子のカラー状態に向かってピクセルを駆動するように、第１の種類の色素粒子と同一の極性を有する、ステップと、
（ｉｉｉ）第３の期間にわたっていかなる駆動電圧もピクセルに印加しないステップと、
ステップ（ｉ）、（ｉｉ）、および（ｉｉｉ）を繰り返すステップと、
を含む。
【００１４】
一実施形態では、第１の種類の色素粒子は、負の電荷を持ち、第２の種類の色素粒子は、正の電荷を持つ。一実施形態では、ステップ（ｉ）、（ｉｉ）、および（ｉｉｉ）は、少なくとも３回繰り返される。一実施形態では、第２の駆動電圧の振幅は、第１の種類の色素粒子のカラー状態から第２の種類の色素粒子のカラー状態に、または逆も同様に、ピクセルを駆動するために必要とされる駆動電圧の振幅と同一である。一実施形態では、第２の駆動電圧の振幅は、第１の種類の色素粒子のカラー状態から第２の種類の色素粒子のカラー状態に、または逆も同様に、ピクセルを駆動するために必要とされる駆動電圧の振幅より高い。一実施形態では、本方法はさらに、振動波形を備える。一実施形態では、本方法はさらに、振動波形の後であるが、ステップ（ｉ）に先立って、第１の種類の色素粒子のフルカラー状態にピクセルを駆動するステップを含む。
【００１５】
本発明の第７の側面は、視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法を対象とし、
（ａ）３種類の色素粒子は、相互と異なる光学特性を有し、
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
本方法は、以下のステップ、すなわち、
（ｉ）第１の期間にわたって第１の駆動電圧を電気泳動ディスプレイ内のピクセルに印加するステップであって、その第１の駆動電圧は、第２の種類の色素粒子のカラー状態に向かってピクセルを駆動するように、第２の種類の色素粒子と同一の極性を有し、第１の期間は、視認側における第２の種類の色素粒子のフルカラー状態にピクセルを駆動するために十分ではない、ステップと、
（ｉｉ）第２の期間にわたって第２の駆動電圧をピクセルに印加するステップであって、その第２の駆動電圧は、視認側における第１および第２の種類の色素粒子の混合状態に向かってピクセルを駆動するように、第１の種類の色素粒子と同一の極性を有する、ステップと、
ステップ（ｉ）および（ｉｉ）を繰り返すステップと、
を含む。
【００１６】
一実施形態では、第１の種類の色素粒子は、負の電荷を持ち、第２の種類の色素粒子は、正の電荷を持つ。一実施形態では、第２の駆動電圧の振幅は、第１の駆動電圧の振幅の５０％未満である。一実施形態では、ステップ（ｉ）および（ｉｉ）は、少なくとも４回繰り返される。一実施形態では、本方法はさらに、ステップ（ｉ）の前に振動波形を備える。一実施形態では、本方法はさらに、振動波形の後であるが、ステップ（ｉ）に先立って、第１の種類の色素粒子のフルカラー状態にピクセルを駆動するステップを含む。
【００１７】
本発明の第４の駆動方法は、第１の種類の色素粒子のカラー状態におけるピクセルに適用されてもよく、または第１の種類の色素粒子のカラー状態ではないカラー状態におけるピクセルに適用されてもよい。
本明細書は、例えば、以下を提供する。
（項目１）
視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法であって、
（ａ）上記３種類の色素粒子は、相互と異なる光学特性を有し、
（ｂ）上記第１の種類の色素粒子および上記第２の種類の色素粒子は、反対電荷極性を担持し、
（ｃ）上記第３の種類の色素粒子は、上記第２の種類の色素粒子と同一の電荷極性を有するが、より低い強度にあり、
上記方法は、少なくとも０．７Ｖの電圧低感度範囲を有する、方法。
（項目２）
視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法であって、
（ａ）上記３種類の色素粒子は、相互と異なる光学特性を有し、
（ｂ）上記第１の種類の色素粒子および上記第２の種類の色素粒子は、反対電荷極性を担持し、
（ｃ）上記第３の種類の色素粒子は、上記第２の種類の色素粒子と同一の電荷極性を有するが、より低い強度にあり、
上記方法は、以下のステップ、すなわち、
（ｉ）第１の期間にわたって第１の駆動電圧を上記電気泳動ディスプレイ内のピクセルに印加するステップであって、上記第１の駆動電圧は、上記視認側における上記第１の種類の色素粒子のカラー状態に向かって上記ピクセルを駆動するように、上記第１の種類の色素粒子と同一の極性を有する、ステップと、
（ｉｉ）第２の期間にわたって第２の駆動電圧を上記ピクセルに印加するステップであって、上記第２の駆動電圧は、上記視認側における上記第３の種類の色素粒子のカラー状態に向かって上記ピクセルを駆動するように、上記第３の種類の色素粒子と同一の極性を有する、ステップと、
ステップ（ｉ）および（ｉｉ）を繰り返すステップと
を含む、方法。
（項目３）
上記第１の種類の色素粒子は、負の電荷を持ち、上記第２の種類の色素粒子は、正の電荷を持つ、項目２に記載の方法。
（項目４）
上記第２の駆動電圧の振幅は、上記第１の駆動電圧の振幅の５０％未満である、項目２に記載の方法。
（項目５）
ステップ（ｉ）および（ｉｉ）は、少なくとも４回繰り返される、項目２に記載の方法。
（項目６）
ステップ（ｉ）の前に振動波形をさらに備える、項目２に記載の方法。
（項目７）
上記振動波形の後であるが、ステップ（ｉ）に先立って、上記第１の種類の色素粒子のフルカラー状態への駆動ステップをさらに含む、項目６に記載の方法。
（項目８）
視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法であって、
（ａ）上記３種類の色素粒子は、相互と異なる光学特性を有し、
（ｂ）上記第１の種類の色素粒子および上記第２の種類の色素粒子は、反対電荷極性を担持し、
（ｃ）上記第３の種類の色素粒子は、上記第２の種類の色素粒子と同一の電荷極性を有するが、より低い強度にあり、
上記方法は、以下のステップ、すなわち、
（ｉ）第１の期間にわたって第１の駆動電圧を上記電気泳動ディスプレイ内のピクセルに印加するステップであって、上記第１の駆動電圧は、上記視認側における上記第１の種類の色素粒子のカラー状態に向かって上記ピクセルを駆動するように、上記第１の種類の色素粒子と同一の極性を有する、ステップと、
（ｉｉ）第２の期間にわたって第２の駆動電圧を上記ピクセルに印加するステップであって、上記第２の駆動電圧は、上記視認側における上記第３の種類の色素粒子のカラー状態に向かって上記ピクセルを駆動するように、上記第３の種類の色素粒子と同一の極性を有する、ステップと、
（ｉｉｉ）第３の期間にわたっていかなる駆動電圧も上記ピクセルに印加しないステップと、
ステップ（ｉ）、（ｉｉ）、および（ｉｉｉ）を繰り返すステップと
を含む、方法。
（項目９）
上記第１の種類の色素粒子は、負の電荷を持ち、上記第２の種類の色素粒子は、正の電荷を持つ、項目８に記載の方法。
（項目１０）
上記第２の駆動電圧の振幅は、上記第１の駆動電圧の振幅の５０％未満である、項目８に記載の方法。
（項目１１）
ステップ（ｉ）、（ｉｉ）、および（ｉｉｉ）は、少なくとも４回繰り返される、項目８に記載の方法。
（項目１２）
ステップ（ｉ）の前に振動波形をさらに備える、項目８に記載の方法。
（項目１３）
上記振動波形の後であるが、ステップ（ｉ）に先立って、上記第１の種類の色素粒子のフルカラー状態への駆動ステップをさらに含む、項目１２に記載の方法。
（項目１４）
上記第１の期間は、４０〜１４０ミリ秒であり、上記第２の期間は、４６０ミリ秒を上回るまたはそれと等しく、ステップ（ｉ）および（ｉｉ）は、少なくとも７回繰り返される、項目８に記載の方法。
（項目１５）
視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法であって、
（ａ）上記３種類の色素粒子は、相互と異なる光学特性を有し、
（ｂ）上記第１の種類の色素粒子および上記第２の種類の色素粒子は、反対電荷極性を担持し、
（ｃ）上記第３の種類の色素粒子は、上記第２の種類の色素粒子と同一の電荷極性を有するが、より低い強度にあり、
上記方法は、以下のステップ、すなわち、
（ｉ）第１の期間にわたって第１の駆動電圧を上記電気泳動ディスプレイ内のピクセルに印加するステップであって、上記第１の駆動電圧は、上記視認側における上記第１の種類の色素粒子のカラー状態に向かって上記ピクセルを駆動するように、上記第１の種類の色素粒子と同一の極性を有する、ステップと、
（ｉｉ）第２の期間にわたっていかなる駆動電圧も上記ピクセルに印加しないステップと、
（ｉｉｉ）第３の期間にわたって第２の駆動電圧を上記ピクセルに印加するステップであって、上記第２の駆動電圧は、上記視認側における上記第３の種類の色素粒子のカラー状態に向かって上記ピクセルを駆動するように、上記第３の種類の色素粒子と同一の極性を有する、ステップと、
（ｉｖ）第４の期間にわたっていかなる駆動電圧も上記ピクセルに印加しないステップと、
ステップ（ｉ）−（ｉｖ）を繰り返すステップと
を含む、方法。
（項目１６）
視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法であって、
（ａ）上記３種類の色素粒子は、相互と異なる光学特性を有し、
（ｂ）上記第１の種類の色素粒子および上記第２の種類の色素粒子は、反対電荷極性を担持し、
（ｃ）上記第３の種類の色素粒子は、上記第２の種類の色素粒子と同一の電荷極性を有するが、より低い強度にあり、
上記方法は、以下のステップ、すなわち、
（ｉ）第１の期間にわたって第１の駆動電圧を上記電気泳動ディスプレイ内のピクセルに印加するステップであって、上記第１の駆動電圧は、上記視認側における上記第１の種類の色素粒子のカラー状態に向かって上記ピクセルを駆動するように、上記第１の種類の色素粒子と同一の極性を有する、ステップと、
（ｉｉ）第２の期間にわたって第２の駆動電圧を上記ピクセルに印加するステップであって、上記第２の駆動電圧は、上記視認側における上記第２の種類の色素粒子のカラー状態に向かって上記ピクセルを駆動するように、上記第２の種類の色素粒子と同一の極性を有する、ステップと、
ステップ（ｉ）および（ｉｉ）を繰り返すステップと
を含む、方法。
（項目１７）
視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法であって、
（ａ）上記３種類の色素粒子は、相互と異なる光学特性を有し、
（ｂ）上記第１の種類の色素粒子および上記第２の種類の色素粒子は、反対電荷極性を担持し、
（ｃ）上記第３の種類の色素粒子は、上記第２の種類の色素粒子と同一の電荷極性を有するが、より低い強度にあり、
上記方法は、以下のステップ、すなわち、
（ｉ）第１の期間にわたって第１の駆動電圧を上記電気泳動ディスプレイ内のピクセルに印加するステップであって、上記第１の駆動電圧は、上記視認側における上記第２の種類の色素粒子のカラー状態に向かって上記ピクセルを駆動するように、上記第２の種類の色素粒子と同一の極性を有する、ステップと、
（ｉｉ）第２の期間にわたって第２の駆動電圧を上記ピクセルに印加するステップであって、上記第２の駆動電圧は、上記視認側における上記第１の種類の色素粒子のカラー状態に向かって上記ピクセルを駆動するように、上記第１の種類の色素粒子と同一の極性を有する、ステップと、
（ｉｉｉ）第３の期間にわたっていかなる駆動電圧も上記ピクセルに印加しないステップと、
ステップ（ｉ）、（ｉｉ）、および（ｉｉｉ）を繰り返すステップと
を含む、方法。
（項目１８）
視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法であって、
（ａ）上記３種類の色素粒子は、相互と異なる光学特性を有し、
（ｂ）上記第１の種類の色素粒子および上記第２の種類の色素粒子は、反対電荷極性を担持し、
（ｃ）上記第３の種類の色素粒子は、上記第２の種類の色素粒子と同一の電荷極性を有するが、より低い強度にあり、
上記方法は、以下のステップ、すなわち、
（ｉ）第１の期間にわたって第１の駆動電圧を上記電気泳動ディスプレイ内のピクセルに印加するステップであって、その第１の駆動電圧は、上記第２の種類の色素粒子のカラー状態に向かって上記ピクセルを駆動するように、上記第２の種類の色素粒子と同一の極性を有し、上記第１の期間は、上記視認側における上記第２の種類の色素粒子のフルカラー状態に上記ピクセルを駆動するために十分ではない、ステップと、
（ｉｉ）第２の期間にわたって第２の駆動電圧を上記ピクセルに印加するステップであって、その第２の駆動電圧は、上記視認側における上記第１および第２の種類の色素粒子の混合状態に向かって上記ピクセルを駆動するように、上記第１の種類の色素粒子と同一の極性を有する、ステップと、
ステップ（ｉ）および（ｉｉ）を繰り返すステップと
を含む、方法。
【図面の簡単な説明】
【００１８】
【図１】図１は、本発明に適用可能な電気泳動ディスプレイ流体を描写する。
【図２】図２は、駆動方式の実施例を描写する略図である。
【図３】図３は、カラーディスプレイデバイスにおいて白色状態から赤色状態にピクセルを駆動するための典型的な波形を図示する。
【図４】図４は、本発明の第１の駆動方法を図示する。
【図５】図５および６は、本発明の第１の駆動方法を利用する、駆動シーケンスを描写する。
【図６】図５および６は、本発明の第１の駆動方法を利用する、駆動シーケンスを描写する。
【図７】図７は、本発明の第２の駆動方法を図示する。
【図８】図８および９は、本発明の第２の駆動方法を利用する、駆動シーケンスを描写する。
【図９】図８および９は、本発明の第２の駆動方法を利用する、駆動シーケンスを描写する。
【図１０ａ】図１０ａおよび１０ｂは、本発明の第３の駆動方法を図示する。図１０ａは、図３の波形に基づく、印加された駆動電圧対光学状態性能（ａ＊）の関係を実証し、図１０ｂは、図４の波形に基づく、印加された駆動電圧対光学状態性能（ａ＊）の関係を実証する。
【図１０ｂ】図１０ａおよび１０ｂは、本発明の第３の駆動方法を図示する。図１０ａは、図３の波形に基づく、印加された駆動電圧対光学状態性能（ａ＊）の関係を実証し、図１０ｂは、図４の波形に基づく、印加された駆動電圧対光学状態性能（ａ＊）の関係を実証する。
【図１１】図１１は、本発明の第４の駆動方法を図示する。
【図１２】図１２および１３は、本発明の第４の駆動方法を利用する、駆動シーケンスを描写する。
【図１３】図１２および１３は、本発明の第４の駆動方法を利用する、駆動シーケンスを描写する。
【図１４】図１４は、カラーディスプレイデバイスにおいてピクセルを黒色状態に駆動するための典型的な波形を描写する。
【図１５】図１５は、本発明の第５の駆動方法を図示する。
【図１６】図１６は、本発明の第５の駆動方法を利用する、駆動シーケンスを描写する。
【図１７】図１７は、カラーディスプレイデバイスにおいてピクセルを白色状態に駆動するための典型的な波形を描写する。
【図１８ａ】図１８ａおよび１８ｂは、本発明の第６の駆動方法を図示する。
【図１８ｂ】図１８ａおよび１８ｂは、本発明の第６の駆動方法を図示する。
【図１９ａ】図１９ａおよび１９ｂは、本発明の第６の駆動方法を利用する、駆動シーケンスを描写する。
【図１９ｂ】図１９ａおよび１９ｂは、本発明の第６の駆動方法を利用する、駆動シーケンスを描写する。
【図２０】図２０は、駆動方式の別の実施例を描写する略図である。
【図２１】図２１は、カラーディスプレイデバイスにおいてピクセルを中間カラー状態に駆動するための典型的な波形を描写する。
【図２２】図２２は、本発明の第７の駆動方法を図示する。
【図２３】図２３は、本発明の第７の駆動方法を利用する、駆動シーケンスを描写する。
【図２４】図２４は、本発明の第８の駆動方法を図示する。
【図２５】図２５は、本発明の第８の駆動方法を利用する、駆動シーケンスを描写する。
【発明を実施するための形態】
【００１９】
本発明は、カラーディスプレイデバイスのための駆動方法を対象とする。
【００２０】
本デバイスは、図１に示される電気泳動流体を利用する。流体は、誘電溶媒または溶媒混合物中に分散させられる、３種類の色素粒子を含む。例証を容易にするために、３種類の色素粒子は、白色粒子（１１）、黒色粒子（１２）、および着色粒子（１３）と称され得る。着色粒子は、非白色および非黒色である。
【００２１】
しかしながら、本発明の範囲は、３種類の色素粒子が視覚的に区別可能な色である限り、任意の色の色素粒子を広く包含することが理解される。したがって、３種類の色素粒子はまた、第１の種類の色素粒子、第２の種類の色素粒子、および第３の種類の色素粒子とも称され得る。
【００２２】
白色粒子（１１）については、それらは、ＴｉＯ２、ＺｒＯ２、ＺｎＯ、Ａｌ２Ｏ３、Ｓｂ２Ｏ３、ＢａＳＯ４、ＰｂＳＯ４、または同等物等の無機色素から形成されてもよい。
【００２３】
黒色粒子（１２）については、それらは、ＣＩ色素黒色２６または２８、もしくは同等物（例えば、マンガンフェライトブラックスピネルまたは銅クロマイトブラックスピネル）、またはカーボンブラックから形成されてもよい。
【００２４】
第３の種類の粒子は、赤、緑、青、マゼンタ、シアン、または黄色等の色であってもよい。この種類の粒子の色素は、ＣＩ色素ＰＲ２５４、ＰＲ１２２、ＰＲ１４９、ＰＧ３６、ＰＧ５８、ＰＧ７、ＰＢ２８、ＰＢ１５：３、ＰＹ１３８、ＰＹ１５０、ＰＹ１５５、またはＰＹ２０を含んでもよいが、それらに限定されない。これらは、色指数ハンドブック「Ｎｅｗ  Ｐｉｇｍｅｎｔ  Ａｐｐｌｉｃａｔｉｏｎ  Ｔｅｃｈｎｏｌｏｇｙ」（ＣＭＣ  Ｐｕｂｌｉｓｈｉｎｇ  Ｃｏ，  Ｌｔｄ，  １９８６）および「Ｐｒｉｎｔｉｎｇ  Ｉｎｋ  Ｔｅｃｈｎｏｌｏｇｙ」（ＣＭＣ  Ｐｕｂｌｉｓｈｉｎｇ  Ｃｏ，  Ｌｔｄ，  １９８４）で説明される、一般的に使用されている有機色素である。具体的実施例は、Ｃｌａｒｉａｎｔ  Ｈｏｓｔａｐｅｒｍ  Ｒｅｄ  Ｄ３Ｇ  ７０−ＥＤＳ、Ｈｏｓｔａｐｅｒｍ  Ｐｉｎｋ  Ｅ−ＥＤＳ、ＰＶ  ｆａｓｔ  ｒｅｄ  Ｄ３Ｇ、Ｈｏｓｔａｐｅｒｍ  ｒｅｄ  Ｄ３Ｇ  ７０，  Ｈｏｓｔａｐｅｒｍ  Ｂｌｕｅ  Ｂ２Ｇ−ＥＤＳ、Ｈｏｓｔａｐｅｒｍ  Ｙｅｌｌｏｗ  Ｈ４Ｇ−ＥＤＳ、Ｈｏｓｔａｐｅｒｍ  Ｇｒｅｅｎ  ＧＮＸ，  ＢＡＳＦ  Ｉｒｇａｚｉｎｅ  ｒｅｄ  Ｌ  ３８３０、Ｃｉｎｑｕａｓｉａ  Ｒｅｄ  Ｌ  ４１００  ＨＤ、およびＩｒｇａｚｉｎ  Ｒｅｄ  Ｌ  ３６６０  ＨＤ、Ｓｕｎ  Ｃｈｅｍｉｃａｌフタロシアニンブルー、フタロシアニングリーン、ダイアリライドイエロー、またはダイアリライドＡＡＯＴイエローを含む。
【００２５】
色に加えて、第１、第２、および第３の種類の粒子は、光学透過、反射率、発光、または機械読取のために意図されたディスプレイの場合、可視範囲外の電磁波長の反射率の変化という意味の疑似カラー等の他の明確な光学特性を有してもよい。
【００２６】
３種類の色素粒子が分散させられる溶媒は、透明かつ無色であり得る。これは、好ましくは、高い粒子移動度のために、低い粘度と、約２〜約３０、好ましくは、約２〜約１５の範囲内の誘電率とを有する。好適な誘電溶媒の実施例は、アイソパー、デカヒドロナフタレン（ＤＥＣＡＬＩＮ）、５−エチリデン−２−ノルボルネン、脂肪油、パラフィン油、シリコン流体等の炭化水素、トルエン、キシレン、フェニルキシリルエタン、ドデシルベンゼン、またはアルキルナフタレン等の芳香族炭化水素、ペルフルオロデカリン、ペルフルオロトルエン、ペルフルオロキシレン、ジクロロベンゾトリフルオリド、３，４，５−トリクロロベンゾトリフルオリド、クロロペンタフルオロ−ベンゼン、ジクロロノナン、またはペンタクロロベンゼン等のハロゲン化溶媒、および３Ｍ  Ｃｏｍｐａｎｙ（Ｓｔ．  Ｐａｕｌ  ＭＮ）からのＦＣ−４３、ＦＣ−７０、またはＦＣ−５０６０等のペルフルオロ化溶媒、ＴＣＩ  Ａｍｅｒｉｃａ（Ｐｏｒｔｌａｎｄ，  Ｏｒｅｇｏｎ）からのポリ（ペルフルオロプロピレンオキシド）等のポリマーを含有する低分子量ハロゲン、Ｈａｌｏｃａｒｂｏｎ  Ｐｒｏｄｕｃｔ  Ｃｏｒｐ．（Ｒｉｖｅｒ  Ｅｄｇｅ，  ＮＪ）からのＨａｌｏｃａｒｂｏｎ  Ｏｉｌｓ等のポリ（クロロトリフルオロエチレン）、ＡｕｓｉｍｏｎｔからのＧａｉｄｅｎまたはＤｕＰｏｎｔ（Ｄｅｌａｗａｒｅ）からのＫｒｙｔｏｘ  ＯｉｌｓおよびＧｒｅａｓｅｓ  Ｋ−Ｆｌｕｉｄ  Ｓｅｒｉｅｓ等のペルフルオロポリアルキルエーテル、Ｄｏｗ−ｃｏｒｎｉｎｇ（ＤＣ−２００）からのポリジメチルシロキサン系シリコーン油を含む。
【００２７】
本発明のディスプレイ流体を利用するディスプレイ層は、２つの表面、すなわち、視認側の第１の表面（１６）と、第１の表面（１６）の反対側の第２の表面（１７）とを有する。したがって、第２の表面は、非視認側にある。「視認側」という用語は、画像が視認される側面を指す。
【００２８】
ディスプレイ流体は、２つの表面の間に挟持される。第１の表面（１６）側には、ディスプレイ層の最上部全体を覆って拡散する、透明電極層（例えば、ＩＴＯ）である共通電極（１４）がある。第２の表面（１７）側には、複数のピクセル電極（１５ａ）を備える、電極層（１５）がある。
【００２９】
ディスプレイ流体は、ディスプレイセルの中に充填される。ディスプレイセルは、ピクセル電極と整合させられる場合もあり、または整合させられない場合もある。「ディスプレイセル」という用語は、電気泳動流体で充填されるマイクロコンテナを指す。「ディスプレイセル」の実施例は、米国特許第６，９３０，８１８号で説明されるようなカップ様マイクロセル、および米国特許第５，９３０，０２６号で説明されるようなマイクロカプセルを含んでもよい。マイクロコンテナは、全て本願の範囲内である、任意の形状またはサイズであってもよい。
【００３０】
ピクセル電極に対応する領域は、ピクセル（またはサブピクセル）と称され得る。ピクセル電極に対応する領域の駆動は、共通電極とピクセル電極との間に電圧電位差（または駆動電圧もしくは電場として知られている）を印加することによって達成される。
【００３１】
ピクセル電極は、その内容がその全体で参照することにより本明細書に組み込まれる、米国特許第７，０４６，２２８号で説明されている。薄膜トランジスタ（ＴＦＴ）バックプレーンを用いたアクティブマトリクス駆動が、ピクセル電極の層について記述されるが、電極が所望の機能を果たす限り、本発明の範囲は、他の種類の電極アドレッシングを包含することが留意される。
【００３２】
２本の垂直な点線の間の空間は、ピクセル（またはサブピクセル）を表す。簡潔にするために、「ピクセル」が駆動方法において参照されるとき、本用語は、「サブピクセル」も包含する。
【００３３】
３種類の色素粒子のうちの２つは、反対電荷極性を担持し、第３の種類の色素粒子は、わずかに帯電している。「わずかに帯電している」または「より低い電荷強度」という用語は、より強く帯電した粒子の電荷強度の約５０％未満、好ましくは、約５％〜約３０％である、粒子の電荷レベルを指すことを意図している。一実施形態では、電荷強度は、ゼータ電位に関して測定されてもよい。一実施形態では、ゼータ電位は、ＣＳＰＵ−１００信号処理ユニットを伴うＣｏｌｌｏｉｄａｌ  Ｄｙｎａｍｉｃｓ  ＡｃｏｕｓｔｏＳｉｚｅｒ  ＩＩＭ、ＥＳＡ  ＥＮ＃  Ａｔｔｎ  フロースルーセル（Ｋ：１２７）によって判定される。サンプルで使用される溶媒の密度、溶媒の誘電率、溶媒中の音速、溶媒の粘度等の計器定数は、全て試験温度（２５℃）で試験前に入力される。色素サンプルは、（通常、１２個未満の炭素原子を有する炭化水素流体である）溶媒中に分散させられ、５〜１０重量％に希釈される。サンプルはまた、電荷制御剤対粒子の１：１０の重量比を伴う、電荷制御剤（Ｂｅｒｋｓｈｉｒｅ  Ｈａｔｈａｗａｙの子会社であるＬｕｂｒｉｚｏｌ  Ｃｏｒｐｏｒａｔｉｏｎから入手可能であるＳｏｌｓｐｅｒｓｅ  １７０００（Ｒ）、「Ｓｏｌｓｐｅｒｓｅ」は登録商標である）も含有する。希釈サンプルの質量が判定され、次いで、サンプルがゼータ電位の判定のためにフロースルーセルの中へ装填される。
【００３４】
例えば、黒色粒子が正の電荷を持ち、白色粒子が負の電荷を持つ場合には、着色色素粒子は、わずかに帯電し得る。換言すると、本実施例では、黒色および白色粒子によって担持される電荷は、着色粒子によって担持される電荷よりはるかに強力である。
【００３５】
加えて、わずかな電荷を担持する着色粒子は、他の２種類のより強く帯電した粒子のうちのいずれか１つによって担持される電荷極性と同一である、電荷極性を有する。
【００３６】
３種類の色素粒子の間で、わずかに帯電している１種類の粒子は、好ましくは、より大きいサイズを有することが留意される。
【００３７】
加えて、本願との関連で、高い駆動電圧（ＶＨ１またはＶＨ２）は、１つの極限カラー状態から別の極限カラー状態にピクセルを駆動するために十分である駆動電圧として定義される。第１および第２の種類の色素粒子が、より高く帯電した粒子である場合には、高い駆動電圧（ＶＨ１またはＶＨ２）は、第１の種類の色素粒子のカラー状態から第２の種類の色素粒子のカラー状態に、または逆も同様に、ピクセルを駆動するために十分である駆動電圧を指す。例えば、高い駆動電圧ＶＨ１は、第１の種類の色素粒子のカラー状態から第２の種類の色素粒子のカラー状態にピクセルを駆動するために十分である駆動電圧を指し、ＶＨ２は、第２の種類の色素粒子のカラー状態から第１の種類の色素粒子のカラー状態にピクセルを駆動するために十分である駆動電圧を指す。説明されるような本シナリオでは、低い駆動電圧（ＶＬ）は、（あまり帯電しておらず、サイズがより大きくあり得る）第３の種類の色素粒子のカラー状態へと第１の種類の色素粒子のカラー状態からピクセルを駆動するために十分であり得る駆動電圧として定義される。例えば、低い駆動電圧は、黒色および白色粒子が視認側で見られていない間に着色粒子のカラー状態を駆動するために十分であり得る。
【００３８】
一般に、ＶＬは、ＶＨ（例えば、ＶＨ１またはＶＨ２）の振幅の５０％未満、または好ましくは、４０％未満である。
【００３９】
以下は、上記で説明されるような電気泳動流体によって、どのようにして異なるカラー状態が表示され得るかという駆動方式を例証する、実施例である。
【００４０】
（実施例）
本実施例は、図２で実証される。白色色素粒子（２１）が、負の電荷を持つ一方で、黒色色素粒子（２２）は、正の電荷を持ち、両方の種類の色素粒子は、着色粒子（２３）より小さい。
【００４１】
着色粒子（２３）は、黒色粒子と同一の電荷極性を担持するが、わずかに帯電している。結果として、黒色粒子は、ある駆動電圧下で着色粒子（２３）より速く移動する。
【００４２】
図２ａでは、印加された駆動電圧は、＋１５Ｖ（すなわち、ＶＨ１）である。この場合、白色粒子（２１）は、ピクセル電極（２５）の付近またはそこにあるように移動し、黒色粒子（２２）および着色粒子（２３）は、共通電極（２４）の付近またはそこにあるように移動する。結果として、黒色が視認側で見られる。着色粒子（２３）は、視認側における共通電極（２４）に向かって移動するが、それらのより低い電荷強度およびより大きいサイズにより、黒色粒子より遅く移動する。
【００４３】
図２ｂでは、−１５Ｖ（すなわち、ＶＨ２）の駆動電圧が印加されるとき、白色粒子（２１）は、視認側における共通電極（２４）の付近またはそこにあるように移動し、黒色粒子および着色粒子は、ピクセル電極（２５）の付近またはそこにあるように移動する。結果として、白色が視認側で見られる。
【００４４】
ＶＨ１およびＶＨ２は、反対極性を有し、かつ同一の振幅または異なる振幅を有することが留意される。図２に示される実施例では、ＶＨ１は、正（黒色粒子と同一の極性）であり、ＶＨ２は、負（白色粒子と同一の極性）である。
【００４５】
図２ｃでは、着色粒子を視認側に駆動するために十分であり、着色粒子と同一の極性を有する、低い電圧が印加されるとき、白色粒子は、下向きに押動され、着色粒子は、視認側に到達するように共通電極（２４）に向かって上方に移動する。黒色粒子は、２種類の色素粒子が接触するときに、２つのより強く逆帯電した粒子、すなわち、黒色粒子および白色粒子を相互から分離するために十分ではない低い駆動電圧により、視認側に移動することができない。
【００４６】
図２ｂの白色状態から図２ｃの着色状態への駆動は、以下のように要約され得る。
視聴側の第１の表面と、非視聴側の第２の表面と、流体が共通電極とピクセル電極の層との間で挟持され、全て溶媒または溶媒混合物中に分散させられる、第１の種類の色素粒子（すなわち、白色）、第２の種類の色素粒子（すなわち、黒色）、および第３の種類の色素粒子（すなわち、着色）を含む、電気泳動流体とを備える、電気泳動ディスプレイのための駆動方法であって、
（ａ）３種類の色素粒子は、相互と異なる光学特性を有し
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
その方法は、非視認側に第１および第２の種類の色素粒子を残しながら、第３の種類の色素粒子を視認側に駆動するために十分である低い駆動電圧を印加することによって、第１の種類の色素粒子のカラー状態から第３の種類の色素粒子のカラー状態に向かって電気泳動ディスプレイ内のピクセルを駆動するステップを含み、印加される低い駆動電圧の極性は、第３の種類の色素粒子の極性と同一である。
【００４７】
第３の種類の色素粒子のカラー状態、すなわち、赤色（図２ｃ参照）にピクセルを駆動するために、本方法は、第１の種類の色素粒子のカラー状態、すなわち、白色（図２ｂ参照）から開始する。
【００４８】
第３の種類の粒子の色が視認側で見られるとき、他の２種類の粒子は、非視認側（視認側の反対側の側面）で混合させられ、第１および第２の種類の粒子の色の間の中間カラー状態をもたらし得る。第１および第２の種類の粒子が黒および白であり、第３の種類の粒子が赤である場合には、図２ｃで、赤色が視認側で見られるときに、灰色が非視認側にある。
【００４９】
駆動方法は、理想的には、図２ｃのシナリオで色の明度（すなわち、黒色粒子が見られることを防止する）および色の純度（すなわち、白色粒子が見られることを防止する）の両方を確保するであろう。しかしながら、実践では、この所望の結果は、粒径分布および粒子電荷分布を含む、種々の理由で、達成することが困難である。
【００５０】
これに対する１つの解決策は、第１の種類の色素粒子のカラー状態（すなわち、白色）から第３の種類の色素粒子のカラー状態（すなわち、赤色）に駆動する前の振動波形の使用である。振動波形は、多くのサイクルにわたって一対の反対駆動パルスを繰り返すことから成る。例えば、振動波形は、２０ミリ秒間の＋１５Ｖパルス、および２０ミリ秒間の−１５Ｖパルスから成ってもよく、そのような一対のパルスは、５０回繰り返される。そのような振動波形の合計時間は、２０００ミリ秒になるであろう。「ｍｓｅｃ」という表記は、ミリ秒を表す。
【００５１】
振動波形は、駆動電圧が印加される前に、光学的状態（黒、白、または赤色）にかかわらず、ピクセルに印加されてもよい。振動波形が印加された後、光学的状態は、純白色、純黒色、または純赤色にならないであろう。代わりに、カラー状態は、３種類の色素粒子の混合物に由来するであろう。
【００５２】
上記のような方法について、ピクセルが第１の種類の色素粒子のカラー状態（すなわち、白色）に駆動される前に、振動波形が印加される。この追加振動波形があると、たとえ白色状態が、振動波形がない場合と測定可能に同一であっても、第３の種類の色素粒子のカラー状態（すなわち、赤色）が、色の明度および色の純度の両方で振動波形がない場合より有意に良好となるであろう。これは、赤色粒子からの白色粒子のより良好な分離、ならびに赤色粒子からの黒色粒子のより良好な分離の指標である。
【００５３】
振動波形内の駆動パルスのそれぞれは、完全黒色状態から完全白色状態、または逆も同様に、駆動するために必要とされる駆動時間の半分を超えずに印加される。例えば、完全黒色状態から完全白色状態、または逆も同様に、ピクセルを駆動するために３００ミリ秒かかる場合、振動波形は、それぞれ多くても１５０ミリ秒にわたって印加される、正および負パルスから成ってもよい。実践では、パルスは、より短いことが好ましい。
【００５４】
本願の全体を通した図面の全てにおいて、振動波形が短縮される（すなわち、パルスの数が実際の数より少ない）ことが留意される。
【００５５】
駆動方法は、振動波形後に白色状態に向かってピクセルを駆動するように、高い負駆動電圧（ＶＨ２、例えば、−１５Ｖ）がｔ２の期間にわたって印加される、図３に示されている。白色状態から、ピクセルは、ｔ３の期間にわたって低い正電圧（ＶＬ、例えば、＋５Ｖ）を印加すること（すなわち、図２ｂから図２ｃにピクセルを駆動すること）によって、着色状態（すなわち、赤色）に向かって駆動されてもよい。
【００５６】
駆動期間「ｔ２」は、ＶＨ２が印加されたときに白色状態にピクセルを駆動するために十分な期間であり、駆動期間「ｔ３」は、ＶＬが印加されたときに白色状態から赤色状態にピクセルを駆動するために十分な期間である。駆動電圧は、好ましくは、ＤＣ平衡を確保するように、振動波形の前にｔ１の期間にわたって印加される。「ＤＣ平衡」という用語は、本願の全体を通して、ある期間（例えば、波形全体の期間）にわたって統合されたときに、ピクセルに印加される駆動電圧が実質的にゼロであることを意味することを意図している。
【００５７】
（第１の駆動方法：）
本発明の第１の駆動方法は、図４で図示されている。これは、図３のｔ３の駆動期間に取って代わるために使用される、駆動波形に関する。
【００５８】
最初のステップでは、高い負駆動電圧（ＶＨ２、例えば、−１５Ｖ）が印加され、その後に、赤色状態に向かってピクセルを駆動するように正駆動電圧（＋Ｖ’）が続く。＋Ｖ’の振幅は、ＶＨ（例えば、ＶＨ１またはＶＨ２）の振幅の５０％未満である。
【００５９】
本駆動波形では、高い負駆動電圧（ＶＨ２）が、視認側に向かって白色粒子を押動するようにｔ４の期間にわたって印加され、次いで、その後に、白色粒子を引き下ろし、視認側に向かって赤色粒子を押動する、＋Ｖ’の正駆動電圧をｔ５の期間にわたって印加する。
【００６０】
一実施形態では、ｔ４は、２０〜４００ミリ秒の範囲内であってもよく、ｔ５は、≧２００ミリ秒であってもよい。
【００６１】
図４の波形は、少なくとも４サイクル（Ｎ≧４）、好ましくは、少なくとも８サイクルにわたって繰り返される。赤色は、各駆動サイクル後に、より強くなる。
【００６２】
図４の駆動方法は、以下のように要約され得る。
視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法であって、
（ａ）３種類の色素粒子は、相互と異なる光学特性を有し、
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
その方法は、以下のステップ、すなわち、
（ｉ）第１の期間にわたって第１の駆動電圧を電気泳動ディスプレイ内のピクセルに印加するステップであって、その第１の駆動電圧は、視認側における第１の種類の色素粒子のカラー状態に向かってピクセルを駆動するように、第１の種類の色素粒子と同一の極性を有する、ステップと、
（ｉｉ）第２の期間にわたって第２の駆動電圧をピクセルに印加するステップであって、その第２の駆動電圧は、視認側における第３の種類の色素粒子のカラー状態に向かってピクセルを駆動するように、第３の種類の色素粒子と同一の極性を有する、ステップと、ステップ（ｉ）および（ｉｉ）を繰り返すステップと、
を含む。
【００６３】
一実施形態では、第１の種類の色素粒子は、負の電荷を持ち、第２の種類の色素粒子は、正の電荷を持つ。
【００６４】
一実施形態では、第２の駆動電圧の振幅は、第１の駆動電圧の振幅の５０％未満である。
【００６５】
記述されるように、図４に示されるような駆動波形は、図３のｔ３の駆動期間に取って代わるために使用されてもよい（図５参照）。換言すると、駆動シーケンスは、振動波形であってもよく、その後に続いて、ｔ２の期間にわたって白色状態に向かって駆動し、次いで、図４の波形を印加する。
【００６６】
別の実施形態では、ｔ２の期間にわたって白色状態に駆動するステップが排除されてもよく、この場合、図４の波形を印加する前に、振動波形が印加される（図６参照）。
【００６７】
一実施形態では、図５または図６の駆動シーケンスは、ＤＣ平衡状態である。
【００６８】
（第２の駆動方法：）
本発明の第２の駆動方法は、図７で図示されている。これは、同様に図３のｔ３の駆動期間に取って代わるために使用され得る、駆動波形の代替案に関する。
【００６９】
本代替的波形では、待機時間「ｔ６」が追加されている。待機時間中、いかなる駆動電圧も印加されない。図７の波形全体はまた、複数のサイクル（例えば、Ｎ≧４）にわたって繰り返される。
【００７０】
図７の波形は、特に、誘電層の抵抗が、例えば、低温で高いときに、電気泳動ディスプレイデバイス内の誘電層に貯蔵された電荷不均衡を解放するように設計されている。
【００７１】
本願との関連で、「低温」という用語は、約１０℃を下回る温度を指す。
【００７２】
待機時間は、おそらく、誘電層に貯蔵された不要な電荷を放散し、白色状態に向かってピクセルを駆動するための短いパルス（「ｔ４」）、および赤色状態に向かってピクセルを駆動するためのより長いパルス（「ｔ５」）を効率的にさせることができる。結果として、本代替的駆動方法は、高帯電色素粒子からの低帯電色素粒子のより良好な分離をもたらすであろう。待機時間（「ｔ６」）は、誘電層の抵抗に応じて、５〜５，０００ミリ秒の範囲内であり得る。
【００７３】
図７の本駆動方法は、以下のように要約され得る。
視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法であって、
（ａ）３種類の色素粒子は、相互と異なる光学特性を有し、
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
その方法は、以下のステップ、すなわち、
（ｉ）第１の期間にわたって第１の駆動電圧を電気泳動ディスプレイ内のピクセルに印加するステップであって、その第１の駆動電圧は、視認側における第１の種類の色素粒子のカラー状態に向かってピクセルを駆動するように、第１の種類の色素粒子と同一の極性を有する、ステップと、
（ｉｉ）第２の期間にわたって第２の駆動電圧をピクセルに印加するステップであって、その第２の駆動電圧は、視認側における第３の種類の色素粒子のカラー状態に向かってピクセルを駆動するように、第３の種類の色素粒子と同一の極性を有する、ステップと、
（ｉｉｉ）第３の期間にわたっていかなる駆動電圧もピクセルに印加しないステップと、
ステップ（ｉ）、（ｉｉ）、および（ｉｉｉ）を繰り返すステップと、
を含む。
【００７４】
一実施形態では、第１の種類の色素粒子は、負の電荷を持ち、第２の種類の色素粒子は、正の電荷を持つ。
【００７５】
一実施形態では、第２の駆動電圧の振幅は、第１の駆動電圧の振幅の５０％未満である。
【００７６】
記述されるように、図７に示されるような駆動波形はまた、図３のｔ３の駆動期間に取って代わるために使用されてもよい（図８参照）。換言すると、駆動シーケンスは、振動波形であってもよく、その後に続いて、ｔ２の期間にわたって白色状態に向かって駆動し、次いで、図７の波形を印加する。
【００７７】
別の実施形態では、ｔ２の期間にわたって白色状態に駆動するステップが排除されてもよく、この場合、図７の波形を印加する前に、振動波形が印加される（図９参照）。
【００７８】
別の実施形態では、図８または図９の駆動シーケンスは、ＤＣ平衡状態である。
【００７９】
本願で参照される駆動期間のうちのいずれかの長さは、温度依存性であり得ることに留意されたい。
【００８０】
（第３の駆動方法：）
図１０ａは、図３の波形に基づく、印加された駆動電圧（Ｖ’）と光学的性能との関係を実証する。示されるように、印加される正駆動電圧Ｖ’は、上記で説明されるカラーディスプレイデバイスの赤色状態性能に影響を及ぼし得る。ディスプレイデバイスの赤色状態性能は、Ｌ＊ａ＊ｂ＊表色系を利用して、ａ＊値として表される。
【００８１】
図１０ａの最大ａ＊は、約３．８Ｖである、図３の印加された駆動電圧Ｖ’において出現する。しかしながら、±０．５Ｖの変更が印加された駆動電圧に行われる場合、結果として生じるａ＊値は、最大ａ＊のおよそ９０％である、約３７となり、したがって、依然として許容できるであろう。本許容差は、例えば、ディスプレイデバイスの電子構成要素における変動、経時的なバッテリ電圧の降下、ＴＦＴバックプレーンのバッチ変動、ディスプレイデバイスのバッチ変動、または温度および湿度変動によって引き起こされる、駆動電圧の変化に適応するために有益であり得る。
【００８２】
図１０ａの概念に基づいて、最大ａ＊値の９０％以上を伴う赤色状態に駆動することができる、駆動電圧Ｖ’の範囲を見出すように、研究が行われた。換言すると、範囲内の駆動電圧のうちのいずれかが印加されるとき、光学的性能は有意に影響を受けない。したがって、範囲は、「電圧低感度」範囲と称され得る。「電圧低感度」範囲が広くなるほど、駆動方法は、バッチ変動および環境変化に対して寛容である。
【００８３】
図４では、本研究のために考慮される３つのパラメータ、すなわち、ｔ４、ｔ５、およびＮがある。電圧低感度範囲に及ぼす３つのパラメータの効果は、双方向性かつ非線形である。
【００８４】
図１０ａのモデルに従って、図４の波形の最も広い電圧低感度範囲を達成するように、３つのパラメータの最適な値セットを見出すことができる。結果は、図１０ｂで要約される。
【００８５】
一実施例では、ｔ４が４０〜１４０ミリ秒であるとき、ｔ５は、４６０ミリ秒を上回るまたはそれと等しく、Ｎは、７を上回るまたはそれと等しく、図１０ｂに基づく電圧低感度範囲（すなわち、３．７Ｖ〜６．５Ｖ）は、図１０ａに基づく電圧低感度範囲（すなわち、３．３Ｖ〜４．７Ｖ）の幅の２倍である。
【００８６】
上記で議論される最適化されたパラメータはまた、本発明の駆動方法のうちのいずれかに適用可能である。
【００８７】
したがって、第３の駆動方法は、以下のように要約され得る。
視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法であって、
（ａ）３種類の色素粒子は、相互と異なる光学特性を有し、
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
本方法は、少なくとも０．７Ｖの電圧低感度範囲を有する。
【００８８】
そのような方法では、そのような範囲内の駆動電圧が印加されるとき、達成されるカラー状態の光学的品質は、最大許容「ａ＊」値の少なくとも９０％である。
【００８９】
図１０ａおよび１０ｂに示されるデータは、周囲温度下で収集されることも留意される。
【００９０】
（第４の駆動方法：）
本発明の第４の駆動方法は、図１１で図示されている。これは、同様に図３のｔ３の駆動期間に取って代わるために使用され得る、駆動波形に関する。
【００９１】
最初のステップでは、高い負駆動電圧（ＶＨ２、例えば、−１５Ｖ）が、ｔ７の期間にわたってピクセルに印加され、その後にｔ８の待機時間が続く。待機時間後、正駆動電圧（Ｖ’、例えば、ＶＨ１またはＶＨ２の５０％未満）が、ｔ９の期間にわたってピクセルに印加され、その後にｔ１０の第２の待機時間が続く。図１１の波形は、Ｎ回繰り返される。上記で説明されるような「待機時間」という用語は、いかなる駆動電圧も印加されない期間を指す。
【００９２】
本駆動方法は、低温で特に効果的であるだけでなく、ディスプレイデバイスの製造中に引き起こされる構造的変動のより良好な許容差をディスプレイデバイスに提供することもできる。したがって、その有用性は、低温駆動に限定されない。
【００９３】
図１１の波形では、第１の待機時間ｔ８が、非常に短い一方で、第２の待機時間ｔ１０は、より長い。ｔ７の期間はまた、ｔ９の期間より短い。例えば、ｔ７は、２０〜２００ミリ秒の範囲内であってもよく、ｔ８は、１００ミリ秒未満であってもよく、ｔ９は、１００〜２００ミリ秒の範囲内であってもよく、ｔ１０は、１０００ミリ秒未満であってもよい。
【００９４】
図１２は、図３および図１１の組み合わせである。図３では、白色状態がｔ２の期間中に表示される。一般的な法則として、本期間内の白色状態が良好であるほど、最後に表示されるであろう赤色状態が良好になる。
【００９５】
振動波形では、正／負パルスペアは、好ましくは、５０〜１５００回繰り返され、各パルスは、好ましくは、１０ミリ秒にわたって印加される。
【００９６】
一実施形態では、ｔ２の期間にわたって白色状態に駆動するステップが排除されてもよく、この場合、図１１の波形を印加する前に、振動波形が印加される（図１３参照）。
【００９７】
図１１の第４の駆動方法は、以下のように要約され得る。
視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法であって、
（ａ）３種類の色素粒子は、相互と異なる光学特性を有し、
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
本方法は、以下のステップ、すなわち、
（ｉ）第１の期間にわたって第１の駆動電圧を電気泳動ディスプレイ内のピクセルに印加するステップであって、第１の駆動電圧は、視認側における第１の種類の色素粒子のカラー状態に向かってピクセルを駆動するように、第１の種類の色素粒子と同一の極性を有する、ステップと、
（ｉｉ）第２の期間にわたっていかなる駆動電圧もピクセルに印加しないステップと、
（ｉｉｉ）第３の期間にわたって第２の駆動電圧をピクセルに印加するステップであって、第２の駆動電圧は、視認側における第３の種類の色素粒子のカラー状態に向かってピクセルを駆動するように、第３の種類の色素粒子と同一の極性を有する、ステップと、
（ｉｖ）第４の期間にわたっていかなる駆動電圧もピクセルに印加しないステップと、ステップ（ｉ）−（ｉｖ）を繰り返すステップと、
を含む。
【００９８】
一実施形態では、第１の種類の色素粒子は、負の電荷を持ち、第２の種類の色素粒子は、正の電荷を持つ。
【００９９】
一実施形態では、ステップ（ｉ）−（ｉｖ）は、少なくとも３回繰り返される。
【０１００】
一実施形態では、第２の駆動電圧は、第１の種類の色素粒子のカラー状態から第２の種類の色素粒子のカラー状態に、または逆も同様に、ピクセルを駆動するために十分な駆動電圧の５０％未満である。
【０１０１】
別の実施形態では、図１２または図１３の駆動シーケンスは、ＤＣ平衡状態である。
【０１０２】
（第５の駆動方法：）
図２（ａ）に示されるように、黒色粒子および赤色粒子は、同一の電荷極性を担持するため、同一の方向へ移動する傾向がある。たとえ黒色粒子が、それらのより高い電荷、おそらくまた、より小さいサイズにより、ある駆動電圧下で赤色粒子より速く移動しても、赤色粒子のうちのいくつかは、黒色状態の品質を劣化させるように、黒色粒子を伴う視認側に依然として駆動されてもよい。
【０１０３】
図１４は、黒色状態に向かってピクセルを駆動するための典型的な波形を描写する。振動波形（上記で説明される）が、色の明度および純度を確保するように含まれる。示されるように、高い正駆動電圧（ＶＨ１、例えば、＋１５Ｖ）が、振動波形後に黒色状態に向かってピクセルを駆動するように、ｔ１２の期間にわたって印加される。駆動電圧は、ＤＣ平衡を確保するように、振動波形の前にｔ１１の期間にわたって印加される。
【０１０４】
本発明の第５の駆動方法は、図１５で図示されている。これは、黒色状態に向かってピクセルを駆動するために、図１４の波形の終わりに追加される駆動波形に関する。複合波形はさらに、赤色粒子からの黒色粒子のより良好な分離を提供し、より少ない赤色の着色を伴って、黒色状態をより飽和させることができる。
【０１０５】
図１５では、ＶＨ２（負）の短いパルス「ｔ１３」が印加され、その後に、ＶＨ１（正）のより長いパルス「ｔ１４」およびｔ１５の待機時間（０Ｖ）が続く。そのようなシーケンスは、少なくとも１回、好ましくは、少なくとも３回（すなわち、Ｎは≧３である）、より好ましくは、少なくとも５〜７回適用される。
【０１０６】
パルス「ｔ１４」は、通常、パルス「ｔ１３」の長さの少なくとも２倍である。
【０１０７】
ＶＨ２の短いパルス「ｔ１３」は、ピクセル電極に向かって黒色および赤色粒子を押動し、ＶＨ１のより長い「ｔ１４」は、それらを共通電極側（すなわち、視認側）に押動するであろう。２種類の色素粒子の速度が同一の駆動電圧下で同一ではないため、本非対称駆動シーケンスは、赤色粒子よりも黒色粒子の利益になるであろう。結果として、黒色粒子を赤色粒子からより良好に分離することができる。
【０１０８】
待機時間「ｔ１５」は、ディスプレイデバイス内の誘電層に応じて随意である。より低温で、誘電層の抵抗は、より顕著であることが一般的であり、この場合、誘電層に閉じ込められた電荷を放出するために、待機時間が必要とされ得る。
【０１０９】
図１５の第５の駆動方法は、以下のように要約され得る。
視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法であって、
（ａ）３種類の色素粒子は、相互と異なる光学特性を有し、
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
本方法は、以下のステップ、すなわち、
（ｉ）第１の期間にわたって第１の駆動電圧を電気泳動ディスプレイ内のピクセルに印加するステップであって、第１の駆動電圧は、視認側における第１の種類の色素粒子のカラー状態に向かってピクセルを駆動するように、第１の種類の色素粒子と同一の極性を有する、ステップと、
（ｉｉ）第２の期間にわたって第２の駆動電圧をピクセルに印加するステップであって、第２の駆動電圧は、視認側における第２の種類の色素粒子のカラー状態に向かってピクセルを駆動するように、第２の種類の色素粒子と同一の極性を有する、ステップと、
（ｉｉｉ）随意に、第３の期間にわたっていかなる駆動電圧もピクセルに印加しないステップと、
ステップ（ｉ）、（ｉｉ）、および存在する場合は（ｉｉｉ）を繰り返すステップと、
を含む。
【０１１０】
一実施形態では、第１の種類の色素粒子は、負の電荷を持ち、第２の種類の色素粒子は、正の電荷を持つ。
【０１１１】
図１６は、図１４の波形および図１５の波形を組み合わせるシーケンスを示す。しかしながら、粒子速度およびシーケンスのサイクル数（Ｎ）に応じて、「ｔ１２」が短縮され得ることも留意される。換言すると、「ｔ１２」の終わりに、ピクセルは、完全黒色状態である必要はない。代わりに、図１５の波形は、シーケンス内の数（Ｎ）が最後にピクセルを黒色状態に駆動するために十分であるならば、灰色を含む、黒色から白色の任意の状態で開始し得る。
【０１１２】
図１４−１６で説明されるような方法はまた、低温でピクセルを黒色状態に駆動するために利用されてもよい。この場合、期間ｔ１４は、ｔ１３より長くなければならず、待機時間ｔ１５は、少なくとも５０ミリ秒である必要がある。
【０１１３】
一実施形態では、図１６の駆動シーケンスは、ＤＣ平衡状態である。
【０１１４】
（第６の駆動方法：）
図１７は、ピクセルを白色状態に駆動するための典型的な波形を描写する。振動波形（上記で説明される）が、色の明度および純度を確保するように含まれる。ＶＨ２の駆動電圧は、振動波形後にｔ１７の期間にわたって印加される。駆動電圧は、ＤＣ平衡を確保するように、振動波形の前にｔ１６の期間にわたって印加される。
【０１１５】
本発明の第６の駆動方法は、図１８（ａ）および１８（ｂ）で図示されている。これは、図１７の波形におけるｔ１７に取って代わる波形に関する。
【０１１６】
本駆動方法は、低温駆動のために特に好適であるが、低温駆動に限定されない。
【０１１７】
図１８（ａ）では、ＶＨ１（正）の短いパルス「ｔ１８」が印加され、その後に、ＶＨ２（負）のより長いパルス「ｔ１９」およびｔ２０の待機時間（０Ｖ）が続く。図１８（ｂ）に示されるように、ｔ１９の間に印加される負駆動電圧（Ｖ”）の振幅は、ＶＨ２の振幅より高くあり得る（例えば、−１５Ｖの代わりに−３０Ｖ）。
【０１１８】
そのようなシーケンスは、少なくとも１回、好ましくは、好ましくは、３回（すなわち、Ｎは、図１８（ａ）および１８（ｂ）で≧３である）、より好ましくは、少なくとも５〜７回適用される。
【０１１９】
ｔ１９は、ｔ１８より長くなくてはならないことが留意される。例えば、ｔ１８は、２０〜２００ミリ秒の範囲内であってもよく、ｔ１９は、１０００ミリ秒未満であってもよい。待機時間ｔ２０は、少なくとも５０ミリ秒である必要がある。
【０１２０】
図１８（ａ）および１８（ｂ）に示されるような第６の駆動方法は、以下のように要約され得る。
視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法であって、
（ａ）３種類の色素粒子は、相互と異なる光学特性を有し、
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
本方法は、以下のステップ、すなわち、
（ｉ）第１の期間にわたって第１の駆動電圧を電気泳動ディスプレイ内のピクセルに印加するステップであって、第１の駆動電圧は、視認側における第２の種類の色素粒子のカラー状態に向かってピクセルを駆動するように、第２の種類の色素粒子と同一の極性を有する、ステップと、
（ｉｉ）第２の期間にわたって第２の駆動電圧をピクセルに印加するステップであって、第２の駆動電圧は、視認側における第１の種類の色素粒子のカラー状態に向かってピクセルを駆動するように、第１の種類の色素粒子と同一の極性を有する、ステップと、
（ｉｉｉ）第３の期間にわたっていかなる駆動電圧もピクセルに印加しないステップと、
ステップ（ｉ）および（ｉｉ）を繰り返すステップと、
を含む。
【０１２１】
一実施形態では、第１の種類の色素粒子は、負の電荷を持ち、第２の種類の色素粒子は、正の電荷を持つ。
【０１２２】
図１８（ａ）に示されるような一実施形態では、第２の電圧は、第１の種類の色素粒子のカラー状態から第２の種類の色素粒子のカラー状態に、または逆も同様に、ピクセルを駆動するために必要とされる駆動電圧である。
【０１２３】
図１８（ｂ）に示されるような別の実施形態では、第２の電圧は、第１の種類の色素粒子のカラー状態から第２の種類の色素粒子のカラー状態に、または逆も同様に、ピクセルを駆動するために必要とされる駆動電圧の振幅より高い振幅を有する。
【０１２４】
図１９ａおよび１９ｂは、図１７のｔ１７が、それぞれ、図１８（ａ）および１８（ｂ）の波形と置換される、シーケンスを示す。
【０１２５】
振動波形では、正／負パルスペアは、好ましくは、５０〜１５００回繰り返され、各パルスは、好ましくは、１０ミリ秒にわたって印加される。
【０１２６】
一実施形態では、図１９ａまたは図１９ｂの駆動シーケンスは、ＤＣ平衡状態である。
【０１２７】
（第７の駆動方法：）
本発明の第７の駆動方法は、中間カラー状態（例えば、灰色）に向かってピクセルを駆動する。
【０１２８】
図２０は、駆動方式を図示する。示されるように、黒色状態のピクセル（図２０ａ参照）は、低い負駆動電圧（ＶＬ、例えば、−５Ｖ）が印加されたときに、灰色状態に向かって駆動される。本プロセスでは、低い駆動電圧は、ピクセル電極側に向かって赤色粒子を押動し、黒色および白色粒子の混合物が視認側で見られる。
【０１２９】
本駆動方法は、図２１に示されている。高い正駆動電圧（ＶＨ１、例えば、＋１５Ｖ）が、振動波形後に、黒色状態に向かってピクセルを駆動するように、ｔ２２の期間にわたって印加される。黒色状態から、ピクセルは、ｔ２３の期間にわたって低い負駆動電圧（ＶＬ、例えば、−５Ｖ）を印加することによって、灰色状態に向かって駆動され、すなわち、図２０（ａ）から図２０（ｂ）に駆動されてもよい。
【０１３０】
駆動期間ｔ２２は、ＶＨ１が印加されたときにピクセルを黒色状態に駆動するために十分な期間であり、ｔ２３は、ＶＬが印加されたときにピクセルを黒色状態から灰色状態に駆動するために十分な期間である。振動波形に先立って、ＶＨ１のパルスは、好ましくは、ＤＣ平衡を確保するようにｔ２１の期間にわたって印加される。
【０１３１】
図２２は、図２１のｔ２３の駆動期間に取って代わるために使用され得る、駆動波形に関する。最初のステップでは、高い正駆動電圧（ＶＨ１、例えば、＋１５Ｖ）が、視認側に向かって黒色粒子を押動するように、ｔ２４の短期間にわたって印加されるが、ｔ２４は、ピクセルを完全黒色状態に駆動するためには十分ではなく、その後に続いて、灰色状態に向かってピクセルを駆動するように、ｔ２５の期間にわたって低い負駆動電圧（ＶＬ、例えば、−５Ｖ）を印加する。ＶＬの振幅は、ＶＨ（例えば、ＶＨ１またはＶＨ２）の５０％未満である。
【０１３２】
図２２の波形は、少なくとも４サイクル（Ｎ≧４）、好ましくは、少なくとも８サイクルにわたって繰り返される。
【０１３３】
両方とも周囲温度において、期間ｔ２４は、約１００ミリ秒未満であり、ｔ２５は、通常、１００ミリ秒を上回る。
【０１３４】
図２２に示されるような第７の駆動方法は、以下のように要約され得る。
視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法であって、
（ａ）３種類の色素粒子は、相互と異なる光学特性を有し、
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
その方法は、以下のステップ、すなわち、
（ｉ）第１の期間にわたって第１の駆動電圧を電気泳動ディスプレイ内のピクセルに印加するステップであって、その第１の駆動電圧は、第２の種類の色素粒子のカラー状態に向かってピクセルを駆動するように、第２の種類の色素粒子と同一の極性を有し、第１の期間は、視認側における第２の種類の色素粒子のフルカラー状態にピクセルを駆動するために十分ではない、ステップと、
（ｉｉ）第２の期間にわたって第２の駆動電圧をピクセルに印加するステップであって、その第２の駆動電圧は、視認側における第１および第２の種類の色素粒子の混合状態に向かってピクセルを駆動するように、第１の種類の色素粒子と同一の極性を有する、ステップと、
ステップ（ｉ）および（ｉｉ）を繰り返すステップと、
を含む。
【０１３５】
記述されるように、第２の駆動電圧は、本方法では、第１の駆動電圧の約５０％である。
【０１３６】
図２３は、ｔ２３の駆動期間が図２２と置換される、図２１の波形および図２２の波形の組み合わせを示す。換言すると、駆動方法は、４つの段階から成る。第１の段階は、ＤＣ平衡段階（ｔ２１）であり、第２の段階は、振動ステップであり、第３の段階は、ピクセルを黒色状態に駆動すること（ｔ２２）である。第３の段階では、波形は、ピクセルを良好な黒色状態に駆動する限り、任意の波形であり得る。第４の段階は、より長い期間にわたる低い負駆動電圧が続く、短期間にわたる高い正駆動電圧から成る。第４の段階は、記述されるように、７回繰り返される。
【０１３７】
図２３では、ｔ２２は随意であり得ることが留意される。
【０１３８】
低い負電圧（ＶＬ）を変化させることによって、より明るく、またはより暗くなるように、灰色状態を変調することが可能である。換言すると、波形シーケンスおよび形状は、同一であってもよいが、ＶＬの振幅は、異なる灰色レベルを表示させるように変動する（例えば、−４Ｖ、−５Ｖ、−６Ｖ、または−７Ｖ）。本特徴は、潜在的に、駆動回路内の参照テーブルのための必要空間を縮小し、その結果として、費用を低減させ得る。図示されるような駆動方法は、第３の種類の色素粒子からの色干渉をほとんど伴わずに、（第１の種類の色素粒子および第２の種類の色素粒子の）中間状態の高い品質を生じることができる。
【０１３９】
一実施形態では、図２３の駆動シーケンスは、ＤＣ平衡状態である。
【０１４０】
（第８の駆動方法：）
本発明の第８の駆動方法は、図２４で図示されている。これは、白色状態（すなわち、第１の種類の色素粒子のカラー状態）にないピクセルに適用されることを意図している。
【０１４１】
最初のステップでは、高い負駆動電圧（ＶＨ２、例えば、−１５Ｖ）が、ｔ２６の期間にわたって印加され、その後にｔ２７の待機時間が続く。待機時間後、正駆動電圧（Ｖ’、例えば、ＶＨ１またはＶＨ２の５０％未満）が、ｔ２８の期間にわたって印加され、その後にｔ２９の第２の待機時間が続く。図２４の波形は、Ｎ回繰り返される。上記で説明されるような「待機時間」という用語は、いかなる駆動電圧も印加されない期間を指す。
【０１４２】
本駆動方法は、低温で特に効果的であり、また、赤色状態への全体的な駆動時間を短縮し得る。
【０１４３】
期間ｔ２６は、通常、完全黒色状態から完全白色状態に駆動するために必要とされる時間の約５０％の範囲内で、かなり短く、したがって、ピクセルを完全白色状態に駆動するために十分ではないことが留意される。期間ｔ２７は、１００ミリ秒未満であってもよく、期間ｔ２８は、１００〜２００ミリ秒の範囲であってもよく、期間ｔ２９は、１０００ミリ秒未満であってもよい。
【０１４４】
また、図１１の波形が、白色状態（すなわち、第１の種類の色素粒子の色）であるピクセルに印加されることが開示される一方で、図２４の波形は、白色状態ではないピクセルに印加されることを意図していることを除いて、図２４の波形は、図１１の波形に類似することも留意される。
【０１４５】
図２５は、図２４の波形が黒色状態（すなわち、第２の種類の色素粒子のカラー状態）であるピクセルに印加される、実施例である。
【０１４６】
振動波形では、正／負パルスペアは、好ましくは、５０〜１５００回繰り返され、各パルスは、好ましくは、１０ミリ秒にわたって印加される。
【０１４７】
図２４の第８の駆動方法は、図１１の方法のように、以下のように要約され得る。
視認側の第１の表面と、非視認側の第２の表面と、流体が共通電極とピクセル電極の層との間で挟持され、全て溶媒または溶媒混合物中に分散させられる、第１の種類の色素粒子、第２の種類の色素粒子、および第３の種類の色素粒子を含む、電気泳動流体とを備える、電気泳動ディスプレイのための駆動方法であって、
（ａ）３種類の色素粒子は、相互と異なる光学特性を有し、
（ｂ）第１の種類の色素粒子および第２の種類の色素粒子は、反対電荷極性を担持し、
（ｃ）第３の種類の色素粒子は、第２の種類の色素粒子と同一の電荷極性を有するが、より低い強度にあり、
本方法は、以下のステップ、すなわち、
（ｉ）第１の期間にわたって第１の駆動電圧を電気泳動ディスプレイ内のピクセルに印加するステップであって、第１の駆動電圧は、視認側における第１の種類の色素粒子のカラー状態に向かってピクセルを駆動するように、第１の種類の色素粒子と同一の極性を有する、ステップと、
（ｉｉ）第２の期間にわたっていかなる駆動電圧もピクセルに印加しないステップと、
（ｉｉｉ）第３の期間にわたって第２の駆動電圧をピクセルに印加するステップであって、第２の駆動電圧は、視認側における第３の種類の色素粒子のカラー状態に向かってピクセルを駆動するように、第３の種類の色素粒子と同一の極性を有する、ステップと、
（ｉｖ）第４の期間にわたっていかなる駆動電圧もピクセルに印加しないステップと、ステップ（ｉ）−（ｉｖ）を繰り返すステップと、
を含む。
【０１４８】
一実施形態では、第１の種類の色素粒子は、負の電荷を持ち、第２の種類の色素粒子は、正の電荷を持つ。
【０１４９】
一実施形態では、ステップ（ｉ）−（ｉｖ）は、少なくとも３回繰り返される。
【０１５０】
一実施形態では、第２の駆動電圧は、第１の種類の色素粒子のカラー状態から第２の種類の色素粒子のカラー状態に、または逆も同様に、ピクセルを駆動するために十分な駆動電圧の５０％未満である。
【０１５１】
一実施形態では、図２５の駆動シーケンスは、ＤＣ平衡状態である。
【０１５２】
本発明は、その具体的実施形態を参照して説明されているが、本発明の真の精神および範囲から逸脱することなく、種々の変更が行われ得、均等物が置換され得ることが、当業者によって理解されるべきである。加えて、特定の状況、材料、組成物、プロセス、１つまたは複数のプロセスステップを、本発明の目的および範囲に適合させるように、多くの修正が行われ得る。全てのそのような修正は、本明細書に添付される請求項の範囲内であることを意図している。
【図１】
2018049302.tif 000003
【図２】
2018049302.tif 000004
【図３】
2018049302.tif 000005
【図４】
2018049302.tif 000006
【図５】
2018049302.tif 000007
【図６】
2018049302.tif 000008
【図７】
2018049302.tif 000009
【図８】
2018049302.tif 000010
【図９】
2018049302.tif 000011
【図１０ａ】
2018049302.tif 000012
【図１０ｂ】
2018049302.tif 000013
【図１１】
2018049302.tif 000014
【図１２】
2018049302.tif 000015
【図１３】
2018049302.tif 000016
【図１４】
2018049302.tif 000017
【図１５】
2018049302.tif 000018
【図１６】
2018049302.tif 000019
【図１７】
2018049302.tif 000020
【図１８ａ】
2018049302.tif 000021
【図１８ｂ】
2018049302.tif 000022
【図１９ａ】
2018049302.tif 000023
【図１９ｂ】
2018049302.tif 000024
【図２０】
2018049302.tif 000025
【図２１】
2018049302.tif 000026
【図２２】
2018049302.tif 000027
【図２３】
2018049302.tif 000028
【図２４】
2018049302.tif 000029
【図２５】
2018049302.tif 000030
【外国語明細書】
2018049302000001.pdf